(57)【要約】【課題】本体から取り外した構成部品の一部であっても全く別の用途として利用することができ、且つ、使用しないときには簡単に持ち運びすることができる乳幼児用防寒具を提供する。【解決手段】乳幼児用防寒具は、本体部、フード部、足部３１とから主に構成されている。足部３１は、一方の長辺及び二つの短辺の外縁部を連続縫製し、他方の長辺を開口部３２とした袋形状の胴３３と、その胴３３の開口部３２側の対向する周縁に縫合されることにより取り付けられた一対の持ち手３４とから構成される。胴３３の左右のマチ３５には丈方向に沿って切り込み３６が形成されており、その切り込み３６はポケット３７に連通している。ポケット３７は、人の手が入る程度の形状及び大きさであり、胴部３３よりもさらに小形の袋形状に形成されたものである。【選択図】図５
0003202267.tif 000002
【実用新案登録請求の範囲】
【請求項１】
所定形状の布体を重複部を有して筒状にしたときに前記重複部の一部に筒状の状態を維持する止め部材を備えた本体部と、
前記本体部と取外し可能に連結されると共にその連結側に開口部を有する袋状の布体から成る足部とを備えた乳幼児用防寒具であって、
前記足部は、
前記開口部側の外側の周縁に設けられた持ち手と、
前記袋状の布体の外表面に設けられた切り込みと連通した袋体内に設けられたポケットとを備えたことを特徴とする乳幼児用防寒具。
【請求項２】
前記足部を形成する袋体の両側部にマチを設け、
前記切り込みは、前記マチに設けられたことを特徴とする請求項１に記載の乳幼児用防寒具。
【請求項３】
前記ポケットは、前記袋体の底部側に向けて前記切り込みから所定角度を有して設けられたことを特徴とする請求項１又は２に記載の乳幼児用防寒具。
【請求項４】
前記持ち手は、前記足部の内部空間に収容可能であって、
前記足部の裏地側に、前記内部空間に収容した前記持ち手を固定する固定部材をさらに備えたことを特徴とする請求項１乃至３のいずれか１項に記載の乳幼児用防寒具。
【請求項５】
前記本体部と取外し可能に連結されたフード部をさらに備えたことを特徴とする請求項１乃至４のいずれか１項に記載の乳幼児用防寒具。
【請求項６】
前記本体部と前記フード部との連結箇所は、
前記本体部の裏地側と前記フード部の表地側とを連結することを特徴とする請求項５に記載の乳幼児用防寒具。
【考案の詳細な説明】
【技術分野】
【０００１】
本考案は、乳幼児を覆う乳幼児用防寒具に係り、特に、おくるみ、寝袋、ブランケット、フットマフ等の多用途に使用することができる乳幼児用防寒具に関する。
【背景技術】
【０００２】
従来から、乳幼児用の防寒具としておくるみが知られている。おくるみは、略四角形状の布地から構成されており、その一対角線上に乳幼児を寝かせ、その対角線を挟む両側部分をそれぞれ内側へ巻いて相互に重ね合わせることにより、乳幼児の体を包み込むものである。
また、このおくるみは、そのまま乳幼児にかぶせてブランケットとして利用できる他、例えば、だっこやおんぶ用の防寒具、横抱き用の防寒具、ベビーカーに乳幼児を乗せた際の防寒具等として兼用可能なおくるみも種々開示されている（特許文献１、２）。
【０００３】
例えば、特許文献１には、利用者の身体を覆い得る大きさを有する所定形状の布体と、布体に形成された紐通路に挿通された紐体とを備え、紐通路は布体の上縁部に始端及び終端を有する略Ｕ字状に形成されるとともに外部に開口された開口部を有し、開口部から紐体の端部が引き出されることによって、防災頭巾としても利用可能な多用途アフガン（おくるみ）が記載されている。
【０００４】
また、特許文献２には、人体保持具に保持された人を少なくとも一方側から覆うブランケットであって、展開時に略方形をなす形状で形成されたブランケット本体と、ブランケット本体に設けられ、ブランケット本体の適宜位置から折り曲げた際に、その折り曲げ状態を維持する止め部材とを備え、止め部材が、ブランケット本体を折り曲げた際に両足をまとめて包み込み可能な折り曲げ状態と、ブランケット本体を折り曲げた際に両足を個別に二股状態で包み込み可能な折り曲げ状態とを維持可能な位置に設けられ、２種類の折り曲げ状態を、使用目的に応じて使い分け可能であるブランケットが記載されている。
【先行技術文献】
【特許文献】
【０００５】
【特許文献１】特開２００６−２１４０２５号公報
【特許文献２】特開２００５−２９０６５３号公報
【考案の概要】
【考案が解決しようとする課題】
【０００６】
しかしながら、特許文献１や特許文献２のような従来のおくるみやブランケットは、いずれも本体自体を様々な用途に使用できるものであるが、構成部品の一部を本体から取り外してそれ単体を全く別の用途として使用できるというものではない。そのため、比較的狭い範囲の用途に限定されるものであり、多用途、多機能という面では不十分であった。
また、従来のおくるみやブランケットでは、使用しないときは荷物になり、持ち運びが不便であるという問題もあった。
【０００７】
本考案は、上記の課題に鑑みてなされたものであり、本考案の目的は、本体から取り外した構成部品の一部であっても全く別の用途として利用することができ、且つ、使用しないときには簡単に持ち運びすることができる乳幼児用防寒具を提供することにある。
【課題を解決するための手段】
【０００８】
前記課題は、本考案の乳幼児用防寒具によれば、所定形状の布体を重複部を有して筒状にしたときに前記重複部の一部に筒状の状態を維持する止め部材を備えた本体部と、前記本体部と取外し可能に連結されると共にその連結側に開口部を有する袋状の布体から成る足部とを備えた乳幼児用防寒具であって、前記足部は、前記開口部側の外側の周縁に設けられた持ち手と、前記袋状の布体の外表面に設けられた切り込みと連通した袋体内に設けられたポケットとを備えたこと、により解決される。
上記構成により、乳幼児用防寒具の一部である足部を本体部から取り外して、バッグとして利用することができる。また、バッグとして利用する足部の中に本体部を収納すれば、簡単に持ち運びすることができる。
さらに、足部にはポケットを設けたので、利用者は手をそのポケットに挿入することにより、ハンドウォーマー（ハンドマフ）としても利用することができる。
【０００９】
また、前記足部を形成する袋体の両側部にマチを設け、前記切り込みは、前記マチに設けられると、好適である。
上記構成により、足部をハンドウォーマーとして利用する際に、ポケットが足部の側面に形成されることになるので、手を挿入しやすい位置となる。特に、足部の両側部のマチにポケットを形成した場合、両手をスムーズにポケット内に挿入することができる。
【００１０】
また、前記ポケットは、前記袋体の底部側に向けて前記切り込みから所定角度を有して設けられると、好適である。
上記構成により、足部をハンドウォーマーとして利用する際に、ポケットが斜め下向きに形成されることになるので、手を挿入しやすい角度となる。
【００１１】
また、前記持ち手は、前記足部の内部空間に収容可能であって、前記足部の裏地側に、前記内部空間に収容した前記持ち手を固定する固定部材をさらに備えると、好適である。
上記構成により、足部を本体部に連結して乳幼児用防寒具として利用する際に、持ち手が邪魔にならず、使い勝手が向上する。
【００１２】
また、前記本体部と取外し可能に連結されたフード部をさらに備えると、好適である。
上記構成により、乳幼児用防寒具として利用する際に、乳幼児の頭部も含めて全体を暖かく保護することができる。
【００１３】
また、前記本体部と前記フード部との連結箇所は、前記本体部の裏地側と前記フード部の表地側とを連結すると、好適である。
上記構成により、連結したときに本体部とフード部との隙間がなくなり、乳幼児をより暖かく保護することができる。
【考案の効果】
【００１４】
本考案の乳幼児用防寒具によれば、本体から取り外した構成部品の一部であっても全く別の用途として利用することができ、且つ、使用しないときには簡単に持ち運びすることができる。
【図面の簡単な説明】
【００１５】
【図１】本考案に係る乳幼児用防寒具の正面図である。
【図２】同乳幼児用防寒具の一部を構成する本体部の正面図である。
【図３】同乳幼児用防寒具の一部を構成するフード部の正面図である。
【図４】同乳幼児用防寒具の一部を構成する足部の正面図である。
【図５】同乳幼児用防寒具の一部を構成する足部の斜視図である。
【図６】同乳幼児用防寒具の一部を構成する足部の裏面を示す図である。
【図７】同乳幼児用防寒具の一部を構成する足部の裏面を示す図である。
【図８】同乳幼児用防寒具の一部を構成する足部の他の使用態様を示す図である。
【考案を実施するための形態】
【００１６】
以下、本考案の一実施形態（本実施形態）について図面を参照して説明する。
本実施形態は、おくるみ、寝袋、ブランケット、フットマフ、バッグ等の多用途に使用することができる乳幼児用防寒具に係り、特に、構成部品の一部がそれぞれ全く別の用途としても利用することができ、且つ、簡単に持ち運びすることが可能な乳幼児用防寒具に関するものである。
【００１７】
＜乳幼児用防寒具の構成＞
まず、本実施形態に係る乳幼児用防寒具１０の基本構成について説明する。
図１は、乳幼児用防寒具１０の一例を示す正面図である。
図１に示すように、乳幼児用防寒具１０は、本体部１１、フード部２１、足部３１とから主に構成されている。以下、乳幼児用防寒具１０を構成する各構成部品についてそれぞれ説明する。
【００１８】
図２は、本体部１１を展開した状態において表地側から見た状態を示す正面図である。
図２に示すように、本体部１１は、展開状態で平面視略長方形状のシート状部材であり、表地としてのポリエステルタフタ等の高密度の平織地と、裏地としてのべロア（オーガニックコットンべロア）等の起毛素材とを重合してその周辺部等を縫合すると共に、その表地と裏地との間に形成される空気層にダウンとフェザーとを混合した軽くて暖かい保温素材（例えば、ダウン９０％、フェザー１０％）を封入することにより構成されている。
【００１９】
本体部１１の右辺１１ａと左辺１１ｂには、本体部１１を折り曲げ線Ｒ、Ｌで折り曲げて筒状にしたときに重なり合う位置に止め部材である複数のスナップボタン１２，１３を備えている。具体的には、右辺１１ａには雄型のスナップボタン１２、左辺１１ｂにはその雄型のスナップボタン１２に適合する雌型のスナップボタン１３が４箇所ずつ備えられている。本体部１１を筒状に折り曲げたときに、このスナップボタン１２，１３を留めることにより、本体部１１は、その折り曲げ状態を維持することができる。
【００２０】
本体部１１の上辺１１ｃには、後述するフード部２１を取り付けるための雌型のスナップボタン１４を裏地側に複数（本実施形態では９箇所）備えている。
また、上辺１１ｃの一部、具体的には左右の所定範囲に、表地と裏地との間に不図示のゴム紐等の伸縮部材を縫い付けることにより、ギャザー１５を形成している。すなわち、これにより、乳幼児用防寒具１０として使用する際に乳幼児の襟元にあたる部分となる上辺１１ｃは伸縮性を備えることになる。
さらに、ギャザー１５の延長線上には、右辺１１ａ及び左辺１１ｂから横方向に突出した状態でクリップ１６が備えられている。このクリップ１６は、表地と同じポリエステルタフタから成る布片を介して閂止めされている。なお、このクリップ１６は、不図示のだっこ紐やおんぶ紐等、乳幼児用防寒具１０を使用する際に乳幼児用防寒具１０以外の他の部材に取り付けるためのものである。
【００２１】
下辺１１ｄにも、スナップボタン１７，１８が備えられており、本体部１１を折り曲げたときに、このスナップボタン１７，１８を留めることにより、下辺１１ｄを部分的に閉じて本体部１１を略袋状に形成することもできる。
また、下辺１１ｄ寄りの表地側には、後述する足部３１を取り付けるための連結具であるループ１９が複数（本実施形態では４箇所）備えられている。ループ１９は、表地と同じポリエステルタフタから成る布片であり、その周縁部が表地に縫合されることにより、表地に対して環状に取り付けられている。
【００２２】
図３は、フード部２１を展開した状態において表地側から見た状態を示す正面図である。
図３に示すように、フード部２１は、展開状態で平面視略長方形状のシート状部材であり、前述の本体部１１と同様、表地としてのポリエステルタフタ等の高密度の平織地と、裏地としてのべロア等の起毛素材とを重合してその周辺部等を縫合すると共に、その表地と裏地との間に形成される空気層にダウンとフェザーとを混合した軽くて暖かい保温素材を封入することにより構成されている。
【００２３】
フード部２１の上辺２１ｃには、スライダー２２とエレメント２３ａ，２３ｂから構成される線ファスナー２４を備えている。
具体的には、上辺２１ｃのうち中央位置より右辺２１ａ側にエレメント２３ａ、中央位置より左辺２１ｂ側にエレメント２３ｂが取り付けられており、上辺２１ｃの略中央位置、すなわち、エレメント２３ａとエレメント２３ｂとの間にスライダー２２が取付けられている。上記構成により、エレメント２３ａとエレメント２３ｂとが接するように二つ折りにしたときに、スライダー２２を移動させることにより、上辺２１ｃ（エレメント２３ａとエレメント２３ｂ）を連結、解放可能としている。
なお、本考案においては、線ファスナー２４の他、面ファスナー等の各種のファスナーやボタン等を用いてもよい。
【００２４】
フード部２１の下辺２１ｄには、本体部１１に取り付けるための雄型のスナップボタン２５を表地側に複数（本実施形態では５箇所）備えている。スナップボタン２５は、本体部１１の雌型のスナップボタン１４に適合するものであり、そのスナップボタン１４に対応する位置に同間隔で備えられている。
上記構成により、本体部１１にフード部２１を取り付ける際には、本体部１１の上辺１１ｃの裏地側のスナップボタン１４と、フード部２１のスナップボタン２５とを留めることにより（５箇所）、本体部１１とフード部２１とを連結することができる。
【００２５】
図４は、足部３１の正面図であり、図５は、足部３１の斜視図である。また、図６及び図７は、足部３１の裏面側を示す図である。
図４及び図５に示すように、足部３１は、一方の長辺及び二つの短辺の外縁部を連続縫製し、他方の長辺を開口部３２とした袋形状の胴３３と、その胴３３の開口部３２側の対向する周縁に縫合されることにより取り付けられた一対の持ち手３４とから構成される。持ち手３４は、手で持ったり肩に掛けたりするのが容易なループ形状であり、具体的には、足部３１の上方に略逆Ｕ字形状に設けられている。
なお、本実施形態では、開口部３２側を上方とし、足部３１の上下方向を丈とし、左右方向を巾とし、前後方向を奥行とする。
【００２６】
胴３３及び持ち手３４は、ポリエステルタフタ等の高密度の平織地を重合してその周辺部等を縫合すると共に、表地と裏地との間に形成される空気層にダウンとフェザーとを混合した軽くて暖かい保温素材を封入することにより構成されている。すなわち、足部３１を構成する胴３３と持ち手３４については、表地も裏地も同じ平織地を使用している。
このように、足部３１（特に胴３３）においては、前述の本体部１１やフード部２１と異なり、裏地もポリエステルタフタ等の高密度の平織地としているが、これにより、本体部１１に取り付ける際に胴３３のすべりが良くなり、簡単に取り付けることができる。
【００２７】
胴３３の左右部分及び底面部分には、奥行方向に所定幅を有するマチ３５が形成されている。
また、左右のマチ３５には丈方向に沿って切り込み３６が形成されており、その切り込み３６はポケット３７に連通している。ポケット３７は、人の手が入る程度の形状及び大きさであり、例えば、扁平状態で長方形又は正方形等の略方形状に形成されたものであり、胴３３よりもさらに小形の袋形状に形成されたものである。
具体的には、ポケット３７は、表地と同じポリエステルタフタ等の高密度の平織地により小袋状に形成されており、足部３１の前面又は後面の表地と裏地との間において、ポケット３７の開口周縁を切り込み３６箇所に縫合することにより、取り付けられている。これにより、切り込み３６がポケット３７の開口部を兼ねることになる。また、ポケット３７は、足部３１の下側、つまり、開口部３２と対向する底面側に向けて切り込み３６から斜め下方向に向けて形成されている。
なお、切り込み３６に不図示の線ファスナーやボタン等を取り付けることにより、ポケット３７を開閉可能としてもよい。
【００２８】
図６に示すように、足部３１の裏面側、すなわち、胴３３の裏地の開口部３２よりの位置には、本体部１１に取り付けるための連結具であるフック３８が復数備えられている。本実施形態では、前面側に２箇所及び後面側に２箇所の合計４箇所、前述した本体部１１のループ１９に対応する位置に同間隔で備えられている。
フック３８は、表地と同じポリエステルタフタ等の高密度の平織地から成る布片であり、一端が胴３３の裏地に縫合されており（他端は自由端）、一つのフック３８につき一対の雌雄のスナップボタン３８ａ，３８ｂを備えている。フック３８は二つ折りにしてそのスナップボタン３８ａ，３８ｂを互いに留めることにより、フック３８の一部に環状部分を形成することができる。
上記構成により、本体部１１に足部３１を取り付ける際には、本体部１１の裾（下辺１１ｄ側）を足部３１の内部空間に挿入し、フック３８をループ１９に通してスナップボタン３８ａ，３８ｂを留めてループ１９にフック３８を引っ掛けることにより（４箇所）、本体部１１と足部３１とを連結することができる。
【００２９】
また、同じく胴３３の裏地の略中央部分には、持ち手３４を固定するための固定部材であるストッパー３９が備えられている。本実施形態では、前面側に１箇所及び後面側に１箇所の合計２箇所、持ち手３４の数に対応して備えられている。
ストッパー３９は、フック３８と同様、表地と同じポリエステルタフタ等の高密度の平織地から成る布片であり、一端が胴３３の裏地に縫合されており（他端は自由端）、一つのストッパー３９につき一つの雄型のスナップボタン３９ａを備えている。一方、裏地の所定の位置（ストッパー３９のスナップボタン３９ａに対応する位置）にはスナップボタン３９ａに適合する雌型のスナップボタン３９ｂを備えており、スナップボタン３９ａ，３９ｂを互いに留めることにより、ストッパー３９は裏地に対して環状に形成される。
上記構成により、図７に示すように、持ち手３４を足部３１の内部空間に折り込んで収容したときに、その持ち手３４の位置に対応した位置において、持ち手３４を胴３３の裏地とストッパー３９の間に挟み、スナップボタン３９ａ，３９ｂを互いに留めることにより、持ち手３４を固定することができる。
【００３０】
このように、本体部１１、フード部２１、足部３１は、高密度の平織地であるポリエステルタフタから成る表地と、起毛素材であるべロアから成る裏地とを重合してその周辺部を縫合し、表地と裏地との間に形成される空気層には保温素材を封入することにより、軽量でありながらも、装着時における体温をより暖めることができるように構成されている。
なお、本実施形態では、表地としてポリエステルタフタ、裏地としてべロアを使用しているが、これらの各素材に代替して、フリース素材やナイロンタフタ素材等の各種素材を用いることもできる。また、中に封入する保温素材としては、ダウンとフェザーとを混合したものを使用しているが、これに限定されるものではない。
【００３１】
また、本体部１１、フード部２１、足部３１の寸法構成例について言及すると、本体部１１の右辺１１ａ及び左辺１１ｂは７２ｃｍ、上辺１１ｃ及び１１ｄは９４ｃｍである。また、フード部２１の右辺２１ａ及び左辺２１ｂは２４ｃｍ、上辺２１ｃ及び下辺２１ｄは４６ｃｍである。また、足部３１の上下方向の高さ（丈）は３０ｃｍ、左右方向の長さ（巾）は４４ｃｍ、奥行き（マチ巾）は１２ｃｍである。なお、上記の通り、通常よりも大判サイズに設定することにより、乳幼児が成長してもゆったりと使用することができる。
ただし、上記は寸法の一例であり、当然ながらこれらの寸法に限定されるものではない。
【００３２】
＜乳幼児用防寒具の使用態様＞
本実施形態の乳幼児用防寒具１０は、上記の構成により、以下のような種々の用途に利用することが可能である。
なお、以下に挙げる使用例はごく一例であり、これらの用途に限定されるものではなく、本実施形態の乳幼児用防寒具１０の構成を好適に活用できる用途であれば、如何なる用途に使用してもよい。
【００３３】
（１）ブランケット等の寝具として利用することができる。
すなわち、展開状態の本体部１１をそのまま乳幼児に被せてブランケットとして利用することができる。本体部１１は、ダウン９０％、フェザー１０％であるので、本格的な羽毛布団と同様の軽さと暖かさを得ることができる。また、このとき、フード部２１も展開状態として枕として利用することができる。
【００３４】
（２）フットマフとして利用することができる。
すなわち、本体部１１と足部３１とを連結した状態でベビーカーに取り付けて、その中に乳幼児を包み込むことにより、フットマフとして利用することができる。
通常では、ベビーカーを押している大人と異なり、ベビーカーの中で座ったままの乳幼児はかなり冷えてしまうが、本実施形態の乳幼児用防寒具１０を利用することにより、正面から受ける冷たい風を好適に防ぎ、ベビーカー内の乳幼児を暖かく保護することができる。
さらに、本実施形態の乳幼児用防寒具１０では、足部３１がポケット３７付きのバッグになるので、足部３１の内部空間やポケット３７内に荷物等を収納することもできる。
【００３５】
（３）おくるみとして利用することができる。
すなわち、スナップボタン１２，１３を留めて筒状にすると共に、スナップボタン１７，１８を留めることにより下辺１１ｄも閉じて略袋状とした本体部１１と、線ファスナー２４を閉じてフード形状としたフード部２１と、を連結した状態で乳幼児を包み込むことにより、退院の日からそのまま使用できる暖かいおくるみとして利用することができる。また、寒い時期の御宮参り等のドレスアップのときにもお洒落で上品なデザインとなる。
【００３６】
（４）寝袋（スリーピングバッグ）として利用することができる。
すなわち、スナップボタン１２，１３を留めて筒状にすると共に、スナップボタン１７，１８を留めることにより下辺１１ｄも閉じて略袋状とした本体部１１と、線ファスナー２４を開いた状態のフード部２１と、を連結した状態で乳幼児を包み込むことにより、室内や屋外でも使用できる封筒型の寝袋として利用することができる。また、昼寝時や外出先で眠くなったとき等の簡易的な布団としても利用することができる。
【００３７】
（５）横抱き用の防寒具として利用することができる。
スナップボタン１２，１３を留めて筒状にすると共に、スナップボタン１７，１８を留めることにより下辺１１ｄも閉じて略袋状とした本体部１１と、線ファスナー２４を閉じてフード形状としたフード部２１と、を連結した状態で乳幼児を包み込み、包み込んだ乳幼児を横向きで抱くことにより、横抱き用の防寒具（横だっこ）として利用することができる。
例えば、頭部のすわっていない新生児の防寒具としても利用することができ、冬生まれの乳幼児に対しても、退院の日からそのまま使用することができる。特に、大判サイズであれば、だっこ紐の上からそのままくるんで抱くことができる。
【００３８】
（６）前抱き用の防寒具として利用することができる。
スナップボタン１２，１３を留めて筒状にすると共に、スナップボタン１７，１８を留めることにより下辺１１ｄも閉じて略袋状とした本体部１１と、線ファスナー２４を閉じてフード形状としたフード部２１と、を連結した状態で乳幼児を包み込み、クリップ１６をだっこ紐や補助ベルト等に取り付けることにより、包み込んだ乳幼児を安定して抱くことができ、前抱き用の防寒具（だっこ）として利用することができる。
このように、クリップ１６で留めるだけの簡単装着なので、外出前の準備も手軽で、普段の抱っこスタイルで乳幼児を暖かく保護することができる。また、肩紐に厚みのあるだっこ紐であれば、脇の補助ベルト等にクリップ１６を取り付けることもできる。
さらに、本体部１１の上辺１１ｃは、ゴム紐等の伸縮部材により伸縮性を備えているので、隙間ができにくく、より暖かく乳幼児を保護することができる。
【００３９】
（７）おんぶ用の防寒具として利用することができる。
スナップボタン１２，１３を留めて筒状にすると共に、スナップボタン１７，１８を留めることにより下辺１１ｄも閉じて略袋状とした本体部１１と、線ファスナー２４を閉じてフード形状としたフード部２１と、を連結した状態で乳幼児を包み込み、クリップ１６を大人の背中側のおんぶ紐や補助ベルト等に取り付けることにより、包み込んだ乳幼児を安定して背負うことができ、おんぶ用の防寒具として利用することができる。
おんぶであれば、大人は両手が使えるので、利用頻度が高い。特に、大判で乳幼児の足までを完全に包み込む大きさは、大人の背中全体を覆うサイズであり、目が離れていても安心感がある。また、肩紐に厚みのあるおんぶ紐の場合は、補助ベルト等にクリップ１６を留めたり、ベルトにまわして乳幼児用防寒具１０をそのまま留める等の工夫もできる。
【００４０】
（８）バッグとして利用することができる。
また、足部３１は、乳幼児用防寒具１０の一部として乳幼児の足を暖かく保護すること以外に、本体部１１から取り外せば、開口部３２を主出し入れ口として、持ち手３４を備えたバッグとして使用することもできる。
特に、バッグとして使用する際には、その内部に本体部１１やフード部２１を圧縮するように小さく収縮させることにより、例えば旅行や帰省の際等、乳幼児用防寒具１０をいつでもどこでも手軽に持ち運びすることができる。なお、大人の荷物を入れることもできる。
【００４１】
（９）ハンドウォーマー（ハンドマフ）として利用することができる。
また、足部３１は、両側面のマチ３５にポケット３７を備えるので、利用者の手をそのポケット３７に挿入することにより、ハンドウォーマー（ハンドマフ）として利用することもできる。
図８は、この足部３１を本体部１１とは分離して他の使用態様として使用する場合、すなわち、ハンドウォーマーとして使用する場合の一例を示す図であり、足部３１の表地側から見た状態を示す図である。
図８に示すように、利用者は、例えば、足部３１を膝の上に抱える等して、両手を左右の切り込み３６からポケット３７に挿入することにより、ハンドウォーマーとして利用することができる。このとき、ポケット３７は下方向に向けて斜めに形成されているので、利用者は手を無理なく自然に挿入することができる。
【００４２】
なお、上記以外にも、例えば、本体部１１を大人の膝掛けや掛け布団として利用したり、乳幼児をくるんで授乳時の目隠しとして使用する等、多様な用途で利用することができる。
【００４３】
以上のように、上記の実施形態では、主として本考案の乳幼児用防寒具について説明した。
ただし、上記の実施形態は、本考案の理解を容易にするための一例に過ぎず、本考案を限定するものではない。本考案は、その趣旨を逸脱することなく、変更、改良され得ると共に、本考案にはその等価物が含まれることは勿論である。
【符号の説明】
【００４４】
１０    乳幼児用防寒具
１１    本体部
１１ａ  右辺
１１ｂ  左辺
１１ｃ  上辺
１１ｄ  下辺
１２    スナップボタン（雄型）
１３    スナップボタン（雌型）
１４    スナップボタン（雌型※フード用）
１５    ギャザー
１６    クリップ
１７    スナップボタン（雄型）
１８    スナップボタン（雌型）
１９    ループ
２１    フード部
２１ａ  右辺
２１ｂ  左辺
２１ｃ  上辺
２１ｄ  下辺
２２    スライダー
２３ａ  エレメント
２３ｂ  エレメント
２４    線ファスナー
２５    スナップボタン（雄型）
３１    足部
３２    開口部
３３    胴
３４    持ち手
３５    マチ
３６    切り込み
３７    ポケット
３８    フック
３８ａ  スナップボタン（雄型）
３８ｂ  スナップボタン（雌型）
３９    ストッパー
３９ａ  スナップボタン（雄型）
３９ｂ  スナップボタン（雌型）
【図１】
0003202267.tif 000003
【図２】
0003202267.tif 000004
【図３】
0003202267.tif 000005
【図４】
0003202267.tif 000006
【図５】
0003202267.tif 000007
【図６】
0003202267.tif 000008
【図７】
0003202267.tif 000009
【図８】
0003202267.tif 000010